(57)【特許請求の範囲】
【請求項１】
天板部を有する筒状のケーシング内に濾過体が収容され、天板部と対向する側にソケットプレートが設けられ、該ソケットプレートの中央開口内壁に取付けネジ部が形成された、カートリッジ式の濾過エレメントの解体装置であって、
前記取付けネジ部と螺合する雄ネジ部を形成したネジ部材と、該ネジ部材と連結・固定されて回転する、前記濾過エレメントのソケットプレート側が当接固定されるテーブルと、該テーブルに固定されて回転する前記濾過エレメントのケーシング壁面に接触し離れることが可能な切断刃と、を具備してなり、
前記ネジ部材は、着脱自在で、各種サイズのものに交換可能であり、
前記ネジ部材と前記テーブルとの軸線方向における固定を解除する手段を具備し、
前記ネジ部材の軸線上に位置する回転軸に、前記ネジ部材が螺着されて、前記ネジ部材と前記テーブルとが連結・固定され、かつ
前記回転軸は、前記ネジ部材側に向かって所定位置までスライド可能に筒状の回転軸ガイドに内挿され、前記ネジ部材を前記回転軸に螺着することにより、前記ネジ部材と前記テーブルと前記回転軸ガイドと前記回転軸とが固定され、これらが一体となって正回転し、前記回転軸を逆回転させたとき、前記ネジ部材と前記テーブルとの軸線方向における固定を解除する手段が作動する濾過エレメントの解体装置。
【請求項２】
前記ネジ部材と前記テーブルとの軸線方向における固定を解除する手段は、前記テーブルの逆回転阻止機構である請求項１に記載の濾過エレメントの解体装置。
【請求項３】
前記ネジ部材と前記テーブルとの周方向における固定は、前記ネジ部材と前記テーブルとの相互間における回転防止機構により行われる請求項１又は２に記載の濾過エレメントの解体装置。
【請求項４】
前記回転軸に連結したハンドルによって、前記回転軸を回転させる請求項１〜３のいずれかに記載の濾過エレメントの解体装置。
【発明の詳細な説明】
【０００１】
【発明の属する技術分野】
本発明は、濾過エレメントの解体装置（特に自動車の内燃機関の潤滑油等を濾過するオイル濾過エレメント用として好適に用いられる）に関する。
【０００２】
【従来の技術】
従来、例えば内燃機関用の濾過エレメントとして、内燃機関等の一部をなすあるいは内燃機関の一部に固定された濾過器ケース内に濾過エレメントを収容・装着して使用するものが知られている。しかし、濾過エレメントの着脱が容易でないことから、濾過エレメントを予めケーシング内に収容した一体型の濾過エレメントであって、内燃機関等の一部に対してケーシングごと着脱可能にしたいわゆるカートリッジ式の濾過エレメントが広く使用されている。
【０００３】
図７に、このようなカートリッジ式の濾過エレメント６１の一例を示す。中空筒状をなす濾過体６２は、例えば濾紙をひだ折りして円周状に巻き回した濾紙等の濾材６３の両端部が上下端板６４，６５によって閉塞され、天板部７２を有する金属製の筒状のケーシング７１内に収容されている。ケーシング７１の天板部７２と対向する側にはソケットプレート（底板）７３が設けられ、底部周縁を巻締め等によって閉鎖して外方に突出したフランジ部７５を形成している。ソケットプレート７３の中央開口内壁には、取付けネジ部（雌ねじ）７６が形成されている。取付けネジ部７６を、図示省略した取付け台部に螺着して取り付け、濾過エレメント６１のソケットプレート７３側（ガスケットリング７７）を取付け台部に当接固定して使用する。
【０００４】
上記のように、カートリッジ式の濾過エレメントの多くは、ろ紙等を主要構成部分とする濾材部分と金属製のケーシングというように異なる種類の材料から構成され、これら材料の異なる濾材部分とケーシングとが一体化されて製造されており、使い捨てを前提としている。構造上、使用後は分解しにくく、例えばろ紙等を主要構成部分とする濾材部分と金属製のケーシングとの分別が困難であり、分解することなく産業廃棄物としてそのまま廃棄されている。
【０００５】
【発明が解決しようとする課題】
本発明は、使用済みのカートリッジ式の濾過エレメントを解体して、その金属部分とそれ以外の部分というように容易に分別して回収できるよう、濾過エレメントの解体装置を提供することを目的とする。
【０００６】
【課題を解決するための手段】
〔請求項１に係る発明〕
天板部を有する筒状のケーシング内に濾過体が収容され、天板部と対向する側にソケットプレートが設けられ、該ソケットプレートの中央開口内壁に取付けネジ部が形成された、カートリッジ式の濾過エレメントの解体装置であって、
前記取付けネジ部と螺合する雄ネジ部を形成したネジ部材と、該ネジ部材と連結・固定されて回転する、前記濾過エレメントのソケットプレート側が当接固定されるテーブルと、該テーブルに固定されて回転する前記濾過エレメントのケーシング壁面に接触し離れることが可能な切断刃と、を具備してなり、
前記ネジ部材は、着脱自在で、各種サイズのものに交換可能であり、
前記ネジ部材と前記テーブルとの軸線方向における固定を解除する手段を具備し、
前記ネジ部材の軸線上に位置する回転軸に、前記ネジ部材が螺着されて、前記ネジ部材と前記テーブルとが連結・固定され、かつ
前記回転軸は、前記ネジ部材側に向かって所定位置までスライド可能に筒状の回転軸ガイドに内挿され、前記ネジ部材を前記回転軸に螺着することにより、前記ネジ部材と前記テーブルと前記回転軸ガイドと前記回転軸とが固定され、これらが一体となって正回転し、前記回転軸を逆回転させたとき、前記ネジ部材と前記テーブルとの軸線方向における固定を解除する手段が作動する濾過エレメントの解体装置である。
【０００７】
本発明の解体装置においては、濾過エレメントのソケットプレートの中央開口内壁に形成された取付けネジ部を、これと螺合する、ネジ部材の雄ネジ部に螺着する。取付けネジ部をネジ部材の雄ネジ部に螺着することにより、濾過エレメントのソケットプレート側がテーブルに当接固定される。濾過エレメントは、ネジ部材と連結・固定されたテーブルに固定されて回転する。この回転状態において、濾過エレメントのケーシング壁面（通常、ソケットプレートの近傍）に切断刃を接触させて当てることにより、濾過エレメントのケーシングが切断される。切断により、ケーシングは二つに分解され、ケーシング内部の濾紙等により構成された濾材部分を取り出すことができる。
【０００８】
前記ネジ部材は、着脱自在で、各種サイズのものに交換可能であるため、多品種に亘り、多数のサイズを有することが多いカートリッジ式の濾過エレメントに対して、ネジ部材を交換するのみで対応可能である。
【０００９】
前記ネジ部材と前記テーブルとの軸線方向における固定を解除する手段を具備するため、濾過エレメントのケーシングを切断した後、ネジ部材とテーブルとの軸線方向における固定を解除することにより、濾過エレメント（残ったソケットプレート側）がテーブルに対しフリーとなってテーブルへの当接固定が解除され（テーブルに当接固定されていた濾過エレメントがテーブルから離れて固定が解かれ）、フリーとなった濾過エレメントをテーブルから簡単に取り外すことができる。
【００１０】
前記ネジ部材の軸線上に位置する回転軸に、前記ネジ部材が螺着されて、前記ネジ部材と前記テーブルとが連結・固定されるため、ネジ部材の解体装置へ取付けを簡単に行うことができ、解体の準備作業が楽である。
【００１１】
そして、前記回転軸は、前記ネジ部材側に向かって所定位置までスライド可能に筒状の回転軸ガイドに内挿され、
前記ネジ部材を前記回転軸に螺着することにより、前記ネジ部材と前記テーブルと前記回転軸ガイドと前記回転軸とが固定され、これらが一体となって正回転し、
前記回転軸を逆回転させたとき、前記ネジ部材と前記テーブルとの軸線方向における固定を解除する手段が作動する構成を備えている。
【００１２】
このため、ネジ部材を回転軸に螺着することにより、ネジ部材とテーブルと回転軸ガイドと回転軸とが固定され、これらが一体となって正回転し、テーブルに固定された濾過エレメントもこれらと一緒に回転する。この正回転時に、濾過エレメントのケーシング壁面に切断刃を接触させて当てることにより、濾過エレメントのケーシングが切断される。一方、濾過エレメントのケーシングを切断した後、回転軸を逆回転させたとき、前記ネジ部材と前記テーブルとの軸線方向における固定を解除する手段が作動するため、ネジ部材と前記テーブルとの軸線方向における固定が解除されると、濾過エレメント（残ったソケットプレート側）がテーブルに対しフリーとなってテーブルへの当接固定が解除され、フリーとなった濾過エレメントをテーブルから簡単に取り外すことができる。
【００１３】
〔請求項２に係る発明〕
前記ネジ部材と前記テーブルとの軸線方向における固定を解除する手段は、前記テーブルの逆回転阻止機構である請求項１に記載の濾過エレメントの解体装置である。
【００１４】
上記発明では、ネジ部材とテーブルとの軸線方向における固定を解除する手段は、テーブルの逆回転阻止機構であり、回転軸を逆回転させると、テーブルの逆回転は阻止される。テーブルの逆回転が阻止された後、さらに回転軸の逆回転を続行すると、回転軸とネジ部材との螺着が緩むので、ネジ部材とテーブルと回転軸ガイドと回転軸とが一体となって固定された状態が解かれ、ネジ部材とテーブルとの軸線方向における固定も解除される（テーブルに当接固定されていた濾過エレメントがテーブルから離れて固定が解かれる）。
【００１５】
〔請求項３に係る発明〕
前記ネジ部材と前記テーブルとの周方向における固定は、前記ネジ部材と前記テーブルとの相互間における回転防止機構により行われる請求項１又は２に記載の濾過エレメントの解体装置である。
【００１６】
ネジ部材とテーブルとの周方向における固定は、ネジ部材とテーブルとの相互間における回転防止機構により行われるため、ネジ部材とテーブルとの周方向における固定が確実であり、解体作業の諸工程が確実に行われる。
【００１７】
〔請求項４に係る発明〕
前記回転軸に連結したハンドルによって、前記回転軸を回転させる請求項１〜３のいずれかに記載の濾過エレメントの解体装置である。
【００１８】
回転軸に連結したハンドルによって、回転軸を回転させる、手動による簡易な構成のため、製造コストがかからず、故障等も生じにくく、メンテナンスも楽である。省エネルギーの見地からも好ましいものであり、製品の普及が見込まれる。
【００１９】
なお、前記切断刃は、前記濾過エレメントのケーシング壁面に向かって前進・後退可能に支持された回転刃である構成とすることができる。
【００２０】
回転刃をケーシング壁面に向かって前進させ、ケーシング壁面へ接触させて当てることにより、ケーシングを切断し、切断後は後退させる。種々のサイズ（直径）の濾過エレメントに対し、ケーシングへの接触・切断を円滑かつ確実に行うことができる。
【００２１】
【発明の実施の形態】
本発明の実施の形態を図面に基いて説明する。図１は本発明に係る解体装置の一例を示す（一部断面で示す）平面図、図２は図１のＡ部分の拡大図、図３は同解体装置の側面図、図４，５は同解体装置の斜視図、図６はテーブルの逆回転阻止機構を示す側断面図である。
【００２２】
解体装置１は、立設された板状のフレーム２と、該フレーム２に設けられた軸受部４と、該軸受部４内に設けられ、横方向に延びる回転軸１１と、ネジ部材２１と、テーブル３１と、切断刃４１とを備えてなる。フレーム２は台部５を有し、取付け部６により作業台等の上面に取り付けられるようになっている。軸受部４はボールベアリング等により構成することができるのは勿論である。フレーム２の上部７には、ネジ部材２１のネジ部２５が入る透孔７ａが複数形成されており、該透孔７ａにネジ部材２１のネジ部２５を入れてフレーム２の上部７に載せ、ネジ部材２１を保管できるようになっている。
【００２３】
軸受部４内に設けられる回転軸１１は、ネジ部材側（図１，２の右方向）に向かって所定位置までスライド可能にかつ回転可能に、筒状の回転軸ガイド１５に内挿されている。所定位置までスライドされるように、回転軸１１のハンドル１７側（図１，２の左方向）には、回転軸ガイド１５の端面に当接可能なストッパー部１２が設けられている。図１，２は、所定位置までスライドされた状態を示している。回転軸１１の一方側にはハンドル１７が連結されている。ハンドル１７の回転により、回転軸１１が回転する。回転軸１１はネジ部材２１の軸線上に位置し、回転軸１１の他方側（ネジ部材２１の側）には、ネジ部材２１のネジ部２５と連結するためのネジ部１３が形成されている。このネジ部１３にネジ部材２１のネジ部２５が螺着される。本例ではネジ部１３は雌ネジとして構成している。
【００２４】
ネジ部材２１の他方側（図１，２の右側）は、円柱状頭部２２を形成し、その周面には、濾過エレメント６１のソケットプレート７３の中央開口内壁に形成された取付けネジ部７６と螺合する雄ネジ部２３が形成されている。該雄ネジ部２３に濾過エレメント６１の取付けネジ部７６が螺着される。ネジ部材２１の円柱状頭部２２の基部２４がテーブル３１との連結部となる。円柱状頭部２２の基部２４の底面がテーブル３１の中心部近傍の側面に当接する。円柱状頭部２２の基部２４には、その中心から回転軸１１に連結するためのネジ部２５が延び形成される。ネジ部材２１は、ネジ部材２１の軸線上に位置する回転軸１１のネジ部１３とネジ部２５において螺着される。本例ではネジ部２５は雄ネジとして構成している。ネジ部材２１は、着脱自在であり、解体に際しては、解体すべき濾過エレメントのサイズに合う雄ネジ部２３を備えたネジ部材２１を選択する。
【００２５】
回転軸１１が内挿される回転軸ガイド１５は、筒状をなし、軸受部４に回転可能に保持されている。回転軸ガイド１５の、ネジ部材側（図１，２の右側）の端部近傍には、回転軸ガイド１５の周面から張り出したテーブル受け部１６が形成されている。
【００２６】
テーブル３１は、円盤状をなし、中心に孔が形成されている。この孔は回転軸ガイド１５の外径にほぼ等しいかそれより僅かに大きく形成されており、テーブル３１は、この孔において回転軸ガイド１５に外嵌されている。テーブル３１は、回転軸ガイド１５に外嵌され、テーブル３１の中心孔近傍の側面部（図１，２の左側の面）が、回転軸ガイド１５の周面から張り出したテーブル受け部１６に当接する。もっとも、テーブル３１は、回転軸ガイド１５と固着され、あるいは回転軸ガイド１５と一体化されていてもよいものである。
【００２７】
テーブル３１の中心孔近傍には、濾過エレメントの取付け面となる広いテーブル面より凹んだ段部３３が形成されており、この段部３３内に、ネジ部材２１の円柱状頭部２２の基部２４が納まる。テーブル３１の段部３３の適宜箇所に設けられた透孔にノックピン３５が挿されており、軸方向に突出している。一方、ネジ部材２１の円柱状頭部２２の基部２４には、軸方向に透孔２６が形成されており、この透孔２６にノックピン３５が挿入されることにより、ネジ部材２１とテーブル３１の回転方向における固定が可能となる。すなわち、ノックピン３５は、ネジ部材２１とテーブル３１との周方向（回転方向）における規制、固定を行うものであり、ネジ部材２１とテーブル３１との相互間における回転防止機構として機能している。
【００２８】
テーブル３１の外周縁には、テーパ状（傾斜したＶ字状）の切欠部３７が形成されている。一方、テーブル３１の外周縁から僅かに離れた適宜位置には、ストッパーピン支持体５１が配設されている。ストッパーピン支持体５１は、ストッパーピン５３をテーブル３１の外周縁に向けて接するように押圧状態に支持する。図６に示すとおり、ストッパーピン支持体５１に内装されたバネ５５により、ストッパーピン５３をテーブル３１の外周縁に向けて押圧している。図６（ａ）に示す正回転の状態では、テーブル３１の外周縁にある切欠部３７は、ストッパーピン５３に係止されずに、ストッパーピン５３を乗り越え、テーブル３１は正回転を続ける。これに対し、図６（ｂ）に示す逆回転の状態では、テーブル３１の外周縁にある切欠部３７は、ストッパーピン５３に係止され、テーブル３１はそれ以上逆回転を続けることはない。すなわち、テーパ状の切欠部３７と、ストッパーピン５３をテーブル３１の外周縁に向けて押圧状態に支持するストッパーピン支持体５１とによって、テーブルの逆回転阻止機構が形成されており、テーブルの逆回転を阻止するようになっている。このテーブルの逆回転阻止機構は、後述するとおり、ネジ部材２１とテーブル３１との軸線方向における固定を解除する手段として機能する。
【００２９】
切断刃４１は、回転刃を用いており、切断刃支持棒４３に支持されている。切断刃支持棒４３は支持筒４５内を前進・後退する。前進・後退の方向は、ネジ部材２１の半径方向としている。切断刃支持棒４３の後端にはノブ４７が設けられている。ノブ４７の回転によって、切断刃４１が前進・後退する。切断刃４１の種類、切断刃４１の動かし方、前進・後退させる手段等は上記に限定されるものではない。
【００３０】
（使用方法）  先ず、解体すべき使用済みの濾過エレメント６１に適合するネジ部材２１を選定する。すなわち、濾過エレメント６１のソケットプレート７３の中央開口内壁に形成された取付けネジ部７６と螺合する雄ネジ部２３を備えたネジ部材２１を選定する。選定したネジ部材２１の基部２４に形成された透孔２６を、テーブル３１から突出したノックピン３５に合わせる。
【００３１】
ネジ部材２１の基部２４から延びるネジ部２５を、回転軸１１のネジ部１３に合わせた状態で、ネジ部材２１を軽く手で押さえて、ハンドル１７を正回転（図１、２の左側面から見て時計廻り）する。この正回転により、回転軸１１が軸方向にスライドしつつ回転し、回転軸１１のネジ部１３にネジ部材２１のネジ部２５が螺着され、両者が連結される。
【００３２】
ネジ部材２１は、回転軸１１のネジ部１３に螺着されるとともに、テーブル３１と連結、固定される。すなわち、ネジ部材２１の円柱状頭部２２の基部２４の底面がテーブル３１の段部３３に当接、押圧され、かつテーブル３１は、回転軸ガイド１５の周面から張り出したテーブル受け部１６に当接、押圧され、これらによって、回転軸１１、ネジ部材２１、テーブル３１、回転軸ガイド１５が連結、固定され、一体化して回転することになる。これにより、濾過エレメント６１の解体に向けての解体装置１の準備作業が完了する。
【００３３】
次は、濾過エレメント６１の取付作業である。ネジ部材２１の円柱状頭部２２に形成された雄ネジ部２３に、濾過エレメント６１のソケットプレート７３の中央開口内壁に形成された取付けネジ部７６を合わせた状態で、濾過エレメント６１を軽く手で押さえて、ハンドル１７を正回転する。この正回転により、ネジ部材２１の雄ネジ部２３に、濾過エレメント６１の取付けネジ部７６が螺着され、濾過エレメント６１のソケットプレート７３側（ガスケットリング７７）が、テーブル３１に当接固定され、濾過エレメント６１の取付け作業が完了する。
【００３４】
次は、濾過エレメント６１の切断作業である。ハンドル１７を正回転しつつ、切断刃４１を、テーブル３１とともに回転する濾過エレメント６１のケーシング壁面に向かって前進させる。切断刃４１はケーシング７１壁面へ接触する。さらに切断刃４１を前進させると、ケーシング７１壁面に食い込んで行き、ケーシング７１は切断され、２つに分かれる。
【００３５】
切断により、ケーシング７１は二つに分解され、ケーシング７１内部の濾紙等により構成された濾材部分を取り出すことができる。濾過エレメント６１のケーシング７１内から流出したオイルは、傾斜したオイル受け５７を伝ってオイル受け皿５８等に適宜回収される。この時、濾過エレメント６１のソケットプレート７３側は、まだテーブル３１に残っている。
【００３６】
ケーシング７１を切断した後、切断刃４１を後退させる。そして、ハンドル１７を逆回転させる。ハンドル１７を逆回転させると、回転軸１１と連結、固定されたテーブル３１及び濾過エレメント６１も逆回転する。ところが、ハンドル１７を逆回転させ、テーブル３１を逆回転させると、テーブルの逆回転阻止機構が作動する。すなわち、図６（ｂ）に示す逆回転の状態で、テーブル３１の外周縁にある切欠部３７が、ストッパーピン５３に係止され、テーブル３１はそれ以上逆回転を続けることはない。さらに、ハンドル１７を逆回転させると、ノックピン３５によってテーブル３１に対する周方向の動きが規制されたネジ部材２１が回転せずに止まった状態となり、回転軸１１のネジ部１３が回転を続けるので、該ネジ部１３とネジ部材２１のネジ部２５との螺着を緩めることになる。回転軸１１のネジ部１３とネジ部材２１のネジ部２５との螺着が緩められることにより、ネジ部材２１とテーブル３１と回転軸ガイド１５と回転軸１１とが一体となって固定された状態が解かれ、ネジ部材２１とテーブル３１との軸線方向における固定も解除される。ネジ部材２１とテーブル３１との軸線方向における固定が解除されると、濾過エレメント６１（残ったソケットプレート７３側）がテーブル３１に対しフリーとなってテーブル３１への当接固定が解除され、フリーとなった濾過エレメント６１をテーブルから簡単に取り外すことができる。
【００３７】
以上、本発明の実施の形態を説明したが、本発明は上記したものに限定されるものではなく、本発明の要旨の範囲で適宜変更、付加等して実施することができる。
例えば、回転軸１１の回転は電動モータ等により自動化してもよい。回転刃４１の前進・後退は、空圧又はシリンダー等を用いて自動化してもよい。
【００３８】
【発明の効果】
以上説明したように、本発明に係る解体装置によれば、使用済みの濾過エレメントを解体して、ケーシングを切断し、濾過体とケーシングとに分解可能であり、金属部分とそれ以外の部分というように容易に分別して回収することが可能となる。構造も比較的簡単であるから、低廉なコストで製造可能である。濾過エレメントを確実かつ簡単に支持して回転させることができる。濾過エレメントの脱着も容易である。
【図面の簡単な説明】
【図１】  本発明に係る解体装置１の一例を示す（一部断面で示す）平面図である。
【図２】  図１のＡ部分の拡大図である。
【図３】  同解体装置１の側面図である。
【図４】  同解体装置１の斜視図である。
【図５】  同解体装置１の斜視図である。
【図６】  テーブルの逆回転阻止機構を示す側断面図である。
【図７】  濾過エレメント６１を例示する断面図である。
【符号の説明】
１  解体装置
２  フレーム
４  軸受部
１１  回転軸
１２  ストッパー
１３  ネジ部
１５  回転軸ガイド
２１  ネジ部材
２３  雄ネジ部
２５  ネジ部
３１  テーブル
３５  ノックピン
４１  切断刃
５３  ストッパーピン
６１  濾過エレメント
【図１】
0003776284.tif 000002
【図２】
0003776284.tif 000003
【図３】
0003776284.tif 000004
【図４】
0003776284.tif 000005
【図５】
0003776284.tif 000006
【図６】
0003776284.tif 000007
【図７】
0003776284.tif 000008